(57)【要約】【課題】背面の美観に優れた表示装置用スタンドおよびこの表示装置用スタンドを備える表示装置を提供する。【解決手段】筐体１０の背面Ｈにケーブル５と接続する接続部２を備えた表示装置１と、表示装置の背面に回動可能に連結して表示装置を支える表示装置用スタンド３であって、表示装置用スタンド３は、背面Ｈ側から見た時に接続部２を覆い隠すカバー面３１を備え、カバー面３１には設置面に置かれた時に緩衝物となる緩衝部材４０を複数箇所に設けられ、緩衝部材４０のうちの一つは筐体１０側にケーブル５を纏めるケーブルガイド４３を備える。【選択図】図１
2016114656.tif 000002
【特許請求の範囲】
【請求項１】
筐体の背面にケーブルと接続する接続部を備えた表示装置と、同表示装置の前記背面に回動可能に連結して前記表示装置を支える表示装置用スタンドであって、
同表示装置用スタンドは、前記背面側から見た時に前記接続部を覆い隠すカバー面を備え、前記表示装置用スタンドには、前記カバー面が設置面に置かれた時に緩衝物となる緩衝部材が複数箇所に設けられ、前記緩衝部材のうちの一つは前記表示装置用スタンドの前記筐体側に前記ケーブルを纏めるケーブルガイドを備えることを特徴とする表示装置用スタンド。
【請求項２】
前記ケーブルガイドを備える前記緩衝部材は、他の前記緩衝部材と同形の脚部と、前記ケーブルガイドの中央に設けられ前記ケーブルを挿通する挿通部と、前記脚部と前記ケーブルガイドを繋ぐ首部と、前記首部から外側に向かって延出するリブを有し、前記カバー面には前記首部を受ける緩衝部材用孔に前記リブを受けるリブ用孔が９０度の角度をなす２方向に設けられていることを特徴とする請求項１に記載の表示装置用スタンド。
【請求項３】
前記表示装置用スタンドは前記ケーブルガイドを備える前記緩衝部材の下部に前記ケーブルを前記カバー面より外側へ導く溝部を備えることを特徴とする請求項１ないし３に記載の表示装置用スタンド。
【請求項４】
請求項１〜３のいずれかに記載の表示装置用スタンドを備える表示装置。
【発明の詳細な説明】
【技術分野】
【０００１】
本発明は、表示装置の背面に接続されるケーブルを纏める構造を備えた表示装置用スタンドと、この表示装置用スタンドを備える表示装置に関するものである。
【背景技術】
【０００２】
情報機器と接続する液晶画面を搭載した小型の表示装置の中には、タッチ操作ができる表示装置として使われているものがある。この表示装置は背面にスタンドを備える。そして、消防や防災用の指令台の机上で使用者が画面を押し易い位置に置かれている。そのため電源や情報機器と接続する複数のケーブル類が接続される背面側の接続部が周囲にいる人から見られることになるが、スタンドが背面側を覆うこともなく、またケーブル類を纏める対応をしていないため、ケーブル類の処理が乱雑となり美観が悪くなっていた。（特許文献１参照）
【０００３】
そこで、特許文献２の電気機器のスタンド装置では、電気機器に連結されたスタンドに円形の係合孔を設け、この係合孔にケーブル類を挿通することで、容易にケーブル類を纏めることができるようになっている。（特許文献２参照）
【先行技術文献】
【特許文献】
【０００４】
【特許文献１】登録意匠第１４０２０６７号公報（使用状態を示す参考図）
【特許文献２】特開２００６−１１９３７０号公報
【発明の概要】
【発明が解決しようとする課題】
【０００５】
しかしながら、スタンドが接続部を覆うことがないため係合孔でケーブルを纏めても、接続部が剥き出しであり背面の美観が良いとは言い難い。
【０００６】
本発明は以上述べた問題点を解決し、表示装置の背面に連結された表示装置用スタンドにおいて、ケーブルの接続部が視認されずに、また、接続されたケーブルが美観よく纏められる表示装置用スタンドを提供することを目的とする。
【課題を解決するための手段】
【０００７】
上述した課題を解決するために本発明は、筐体の背面にケーブルと接続する接続部を備えた表示装置と、同表示装置の前記背面に回動可能に連結して前記表示装置を支える表示装置用スタンドであって、同表示装置用スタンドは、前記背面側から見た時に前記接続部を覆い隠すカバー面を備え、前記表示装置用スタンドには、前記カバー面が設置面に置かれた時に緩衝物となる緩衝部材が複数箇所に設けられ、前記緩衝部材のうちの一つは前記表示装置用スタンドの前記筐体側に前記ケーブルを纏めるケーブルガイドを備えることを特徴とする。
【０００８】
また、前記ケーブルガイドを備える前記緩衝部材は、他の前記緩衝部材と同形の脚部と、前記ケーブルガイドの中央に設けられ前記ケーブルを挿通する挿通部と、前記脚部と前記ケーブルガイドを繋ぐ首部と、前記首部から外側に向かって延出するリブを有し、前記カバー面には前記首部を受ける緩衝部材用孔に前記リブを受けるリブ用孔が９０度の角度をなす２方向に設けられ、前記リブを差し込む方向により前記ケーブルを引き出す方向が決定されることも含まれる。
【発明の効果】
【０００９】
上記のように構成した本発明の表示装置用スタンドは、背面側から見た時に表示装置の接続部を覆い隠すカバー面を備え、同カバー面には設置面に置かれた時に緩衝物となる緩衝部材が複数箇所に設けられ、緩衝部材のうちの一つがケーブルガイドを備えることで、接続部に接続されたケーブルが視認されずに纏められ背面の美観に優れた表示装置用スタンドとなる。
【図面の簡単な説明】
【００１０】
【図１】本発明による表示装置と表示装置用スタンドの背面斜視図である。
【図２】本発明による他の実施例の表示装置と表示装置用スタンドの背面斜視図である。
【図３】（ａ）は図１のＡ−Ａ断面図で、（ｂ）は図１のＢ−Ｂ部分断面図である。
【図４】表示装置用スタンドを畳んで設置面に置いた状態を示す断面図である。
【図５】ゴム脚の説明図であり、（ａ）は正面図、（ｂ）は平面図、（ｃ）は側面図、（ｄ）は底面図、（ｅ）は（ａ）のＣ−Ｃ断面図、（ｆ）は（ａ）のＤ−Ｄ断面図である。
【図６】（ａ）は緩衝部材の断面拡大図、（ｂ）は緩衝部材を差し込む状態を示す図である。
【図７】（ａ）は緩衝部材を表示装置用スタンドに取り付ける状態を示す図で、（ｂ）と（ｃ）はケーブルを挿通した状態を示す図である。
【発明を実施するための形態】
【００１１】
以下、本発明を実施するための形態を、添付図面に基づいた実施例として詳細に説明するが、本発明はこれに限定されるものではない。
【００１２】
図１に示す本発明による表示装置１は、樹脂または板金でなる筐体１０を有する。筐体１０は、前面パネル１１と背面パネル１２で形成され、前面パネル１１は前面側において図示しない１２インチサイズでタッチ操作のできる液晶パネルを囲んでいる。背面パネル１２には液晶パネルとその制御部品が収納されている。背面パネル１２は前面パネル１１の周縁と接合し液晶パネルの背面側を覆う接合部１２ａと、接合部１２ａから突出し液晶パネルの制御部品を収納する収納部１２ｂを備える。収納部１２ｂの下面には電源ケーブル５０や図示しない情報機器と接続するためのコネクタケーブル５１を接続する接続部２を備える。電源ケーブル５０とコネクタケーブル５１は以下ケーブル類５とする。
【００１３】
尚、図１の筐体１０において、前面パネル１１がある側を前面とし、背面パネル１２がある側を背面Ｈとし、図１上で筐体１０の左側を左側面とし、筐体１０の右側を右側面として以下説明する。
【００１４】
筐体１０は背面Ｈ側に表示装置用スタンド３（以下スタンドとする）を備える。スタンド３は樹脂または板金で形成され、平板状のカバー面３１と、カバー面３１の上端および下端に設けられた半円筒状の曲面部３２、３３と、カバー面３１と曲面部３２、３３の左右側面にそれぞれ備えられた左側面部３４と右側面部３５とを有する。スタンド３の幅Ｌ１は収納部１２ｂの幅Ｌ２と同じかそれよりも狭くて良いが、背面Ｈ側から見た時に接続部２を覆い隠すことが可能な幅とする。
【００１５】
スタンド３は図３（ｂ）に示すように、ヒンジ機構１３により筐体１０の背面パネル１２と連結されている。そして、背面パネル１２に対して開く方向に回動可能であり、開いた状態で表示装置１を支える。また、スタンド３を閉じた時は、図４に示すようにカバー面３１を下にして指令台の机上などの設置面Ｔに置くことができる。
【００１６】
スタンド３は図１と図２に示すようにカバー面３１から突出するように３個もしくは４個の緩衝物となる緩衝部材（以下ゴム脚とする）４０が設けられる。そしてスタンド３のカバー面３１には図３（ａ）に示すゴム脚４０を受ける緩衝部材用孔（以下脚用孔）３１ａを有する。
【００１７】
ゴム脚４０は軟質性のシリコンゴムで形成される。また、軟質性素材であればシリコンゴムに限定されない。ゴム脚４０はスタンド３を支える半円球型の脚部４０ａと脚用孔３１ａと係合する首部４０ｂと脚用孔３１ａを貫通してカバー面３１の前面側に係止する爪部４０ｃとからなる。ゴム脚４０は軟質性を生かし脚用孔３１ａに爪部４０ｃを圧入して差し込む。ゴム脚４０と脚用孔３１ａはスタンド３の上部に平行に２箇所とそれよりも下方２箇所、もしくは下方中央の１箇所に設ける。
【００１８】
ゴム脚４０のいずれか１つは筐体１０側にケーブル類５を纏めるケーブルガイド４３を備える。図１においては、下方右側のゴム脚４０がケーブルガイド４３を備え、図２においては下方の一つのゴム脚４０がケーブルガイド４３を備える。尚、ケーブルガイド４３を備えるゴム脚４０は以下、ケーブルガイド付きゴム脚４２として説明する。
【００１９】
図５に示すケーブルガイド付きゴム脚４２は、他のゴム脚４０の脚部４０ａと同形の脚部４２ａと、中央にケーブル５を挿通する挿通部４３ａを備えたケーブルガイド４３と、脚部４２ａとケーブルガイド４３を繋ぐ円筒形の首部４２ｂと、首部４２ｂから外側に向かって延出するリブ４２ｃを備える。ケーブルガイド４３と首部４２ｂの間には図５（ｆ）に示すように四角い平滑面４２ｄを備える。
【００２０】
ケーブルガイド４３の下端には、斜めに設けた切れ込み部４３ｂがある。シリコンゴムの軟質性を生かし、この切れ込み部４３ｂを開いてケーブル類５を差し込むことでケーブル類５がケーブルガイド４３にまとめられる。尚、ケーブルガイド４３の形状はリング状に限らず四角形状でも三角形状でも多角形状でもよい。
【００２１】
図６に示すように脚部４２ａは傘状であり、脚部４２ａと首部４２ｂの間は凹部４２ｅが形成される。ケーブルガイド付きゴム脚４２は他のゴム脚４０とは反対にカバー面３１の前面側から差し込むことになるが、この凹部４２ｅにより脚部４２ａが変形するため差し込むことができる。
【００２２】
図７に示すようにケーブルガイド付きゴム脚４２に対応する脚用孔３１ｂには、リブ４２ｃを受けるリブ用孔４１ｃが９０度の角度をなす２方向に設けられている。ケーブルガイド付きゴム脚４２を脚用孔３１ｂに差し込み、ケーブルガイド４３の挿通部４３ａをケーブル類５を挿通させる方向に合わせリブ４２ｃを２方向のいずれかのリブ用孔４１ｃに合わせることで、ケーブルガイド４３の位置が決定する。
【００２３】
脚用孔３１ｂから脚部４２ａが突出して、リブ４２ｃがいずれかのリブ用孔４１ｃに位置合わせされると、平滑面４２ｄがカバー面３１の前面側に当接され、ケーブルガイド付きゴム脚４２がカバー面３１に固定される。
【００２４】
そして、図１のようにケーブルガイド４３の挿通部４３ａを水平に位置合わせした場合は、ケーブル類５を挿通部４３ａの上から下に導くように挿通させることでケーブル類５は下方に引き出される。カバー面３１にはケーブルガイド付きゴム脚４２下部にケーブル類５を導く溝部３６を備えていることから、溝部３６からケーブル類５をカバー面３１より外側へ引き出すことができる。この場合はスタンド３が背面Ｈ側から見て接続部２を覆い隠すとともにケーブル類５は溝部３６から引き出された部分だけが見えるため、背面Ｈには接続部２が視認されないため美観が向上する。
【００２５】
また図２に示すようにケーブルガイド４３の挿通部４３ａを垂直に位置合わせした場合は、ケーブル類５を挿通部４３ａの左側から右側へ導くように挿通させる。ケーブル類５は右側面側に引き出される。この場合はスタンド３が背面Ｈ側から見て接続部２を覆い隠すとともにケーブル類５も背面Ｈ側ではなく右側面から引き出されることで、背面Ｈには接続部２とケーブル類５が視認されないため、より美観が向上する。
【００２６】
ケーブル類５を側方から引き出して、図４のようにスタンド５を畳んだとしても、スタンド３と背面パネル１２の下部には十分な隙間があるのでケーブル類５ａのように引き出すことができケーブル類５ａが挟まれることはない。
【００２７】
また首部４２ｂは円筒形と説明したが、これに限らず四角柱でも良い。この場合はリブ４２ｅを備えなくても脚用孔３１ｂを四角形にすることでケーブルガイド４３の挿通部４３ａの位置を決めることができる。
【００２８】
以上説明したように本発明によれば、表示装置用スタンド３は、背面Ｈ側から見た時に表示装置１の接続部２を覆い隠すカバー面３１を備え、同カバー面３１には設置面Ｔに置かれた時に緩衝物となるゴム脚４０が複数箇所に設けられ、ゴム脚のうちの一つがケーブルガイド４３を備えることで、接続部２に接続されたケーブル類５が視認されずに纏められ背面Ｈの美観に優れた表示装置用スタンド３およびこの表示装置用スタンド３を備えた表示装置１となる。
【符号の説明】
【００２９】
１：モニター、１０：筐体、１１：前面パネル、１２：背面パネル、１３：ヒンジ機構
２：接続部
３：表示装置用スタンド（スタンド）、３１：カバー面、３１ａ、３１ｂ：緩衝部材用孔（脚用孔）、３１ｃ：リブ用孔、３６：溝部
４０：緩衝部材（ゴム脚）、４２：ケーブルガイド付き緩衝部材（ゴム脚）、４２ａ：脚部、４２ｂ：首部、４２ｃ：リブ、４３：ケーブルガイド、４３ａ：挿通部、４３ｂ：切れ込み部
５：ケーブル類
【図１】
2016114656.tif 000003
【図２】
2016114656.tif 000004
【図３】
2016114656.tif 000005
【図４】
2016114656.tif 000006
【図５】
2016114656.tif 000007
【図６】
2016114656.tif 000008
【図７】
2016114656.tif 000009